(57)【要約】      （修正有）【課題】洗面化粧台の収納部分の開き戸を、略直角まで開くことができるとともに、開いたとき、壁に傷が付くことのない、水平把手取付け構造を提供する。【解決手段】水平把手Ａを洗面化粧台に取付ける構造であって、該水平把手Ａは、開き戸Ｄに固定される一対のバー保持手段Ａ１、Ａ２と、このバー保持手段によって保持されるバー体９Ａとからなるとともに、上記開き戸Ｄに対して遠近自在に弾性変形または弾性変位可能に取付けられる。【選択図】図２
2004201729.tif 000002
【特許請求の範囲】
【請求項１】
水平把手を洗面化粧台に取付ける構造であって、該水平把手は、開き戸に固定される一対のバー保持手段と、このバー保持手段によって保持されるバー体とからなるとともに、上記開き戸に対して遠近自在に弾性変形または弾性変位可能に取付けられることを特徴とする水平把手取付け構造。
【請求項２】
上記一対のバー保持手段が、ヒンジ式補強材を内設した軟質弾性体から構成されるとともに、水平方向に弾性変形可能とされた請求項１に記載の水平把手取付け構造。
【請求項３】
上記一対のバー保持手段が、スリーブと底部とからなるベース部と、上記スリーブに回動自在に支持されるとともに、上部にバーを軸支するバー軸支部と下部にバネ収納部とを備えたバー支承部と、上記バネ収納部と上記ベース部の底部とを連結するバネ体とから構成され、水平方向に弾性変形可能とされた請求項１に記載の水平把手取付け構造。
【請求項４】
上記一対のバー保持手段が、上部側面にバー端部を挿入する挿入孔と下部に鍔状係止部とを備えたバー支持部と、このバー支持部を挿通する透孔部と上記鍔状係止部を係止する透孔部の端縁とを上面とする有底円筒状のベースブロックと、上記鍔状係止部の裏面と上記ベースブロックの底部とを連結するバネ体とから構成され、圧縮方向に弾性変位可能とされた請求項１に記載の水平把手取付け構造。
【請求項５】
上記バー体の長さが調節可能である請求項１に記載の水平把手取付け構造。
【発明の詳細な説明】
【０００１】
【発明の属する技術分野】
本発明は、水平把手取付をける構造に関する。さらに詳しくは、水平把手を洗面化粧台の開き戸に取付ける取付け構造に関する。
【０００２】
【従来の技術】
従来、扉等、設置対象物に取付けられたとき、外力に対して姿勢変化可能に構成された把手が知られている（例えば、特許文献１。）。上記技術には、鏡台の収納部分の扉に、可撓性部材から構成された縦長の把手を、取付け部を中心に左右揺動するように設けた例が示されている。
【０００３】
【特許文献１】
特開２００２−１７７０７７号公報（第１−３頁、第１図、第６図、第７図、第８図）
【０００４】
【発明が解決しようとする課題】
一方、洗面化粧台の収納部分に用いられるスイング式の開き戸においては、本願図９に示すように、タオル掛け等を兼用した、水平把手１００を横長に取付けることが多い。このとき、とくに、洗面化粧台を部屋のコーナー部に設置した場合、水平把手１００が壁Ｗに当るため開き戸Ｄを略直角まで開くことができず、また、水平把手１００によって壁Ｗが傷つく恐れがある。本発明はこのような状況の下で考え出されたものであって、洗面化粧台の収納部分の開き戸を収納物の出し入れが容易にできるように、略直角まで開くことができるとともに、開き戸を開いたとき、水平把手によって壁に傷が付くことのない、水平把手取付け構造を提供することをその課題とする。
【０００５】
【課題を解決するための手段】
本発明は、上記課題を解決するために考え出されたものであって、つぎのような技術的手段を講じている。すなわち、本発明によれば、水平把手を洗面化粧台に取付ける構造であって、該水平把手は、開き戸に固定される一対のバー保持手段と、このバー保持手段によって保持されるバー体とからなるとともに、上記開き戸に対して遠近自在に弾性変形または弾性変位可能に取付けられることを特徴とする水平把手取付け構造を提供することができる。このようにすることによって、開き戸を開いたとき上記バー保持手段が壁に当っても、上記開き戸に対して遠近自在に弾性変化するため、さらに開度を大きくすることが可能となり、収納物の出し入れを容易に行なうことができるとともに、壁に対する衝撃をやわらげ、傷つけることを防ぐ。
【０００６】
上記一対のバー保持手段が、ヒンジ式補強材を内設した軟質弾性体から構成されるとともに、水平方向に弾性変形可能とされる。このように、ゴム、合成ゴム、軟質弾性プラスチックス等の軟質弾性体が、金属からなるヒンジ式補強材で補強されているため、壁に当っても傷つけることなく水平方向に弾性変形し、弾性復帰できる。また、開き戸を略直角まで開けることが可能となり、収納物を容易に出し入れすることができる。
【０００７】
上記一対のバー保持手段が、スリーブと底部とからなるベース部と、上記スリーブに回動自在に支持されるとともに、上部にバーを軸支するバー軸支部と下部にバネ収納部とを備えたバー支承部と、上記バネ収納部と上記ベース部の底部とを連結するバネ体とから構成され、水平方向に弾性変形可能とされる。このように、バネ体の端部がベース部の底部に固定され、上記バー支承部が上記スリーブに回動自在に支持されているため、バー支承部が壁に当っても、傷つけることなく水平方向に弾性変形し、また、弾性復帰できる。また、開き戸を略直角まで開けることが可能となり、収納物を容易に出し入れすることができる。
【０００８】
上記一対のバー保持手段が、上部側面にバー端部を挿入する挿入孔と下部に鍔状係止部とを備えたバー支持部と、このバー支持部を挿通する透孔部と上記鍔状係止部を係止する透孔部の端縁とを上面とする有底円筒状のベースブロックと、上記鍔状係止部の裏面と上記ベースブロックの底部とを連結するバネ体とから構成され、弾性変位可能とされる。開き戸が壁に当ると、接触した方のバー保持手段のバネ体は、圧縮方向に弾性変位するため、壁Ｗに当った状態から、開き戸をさらに開けることができる。このように、バネ体の弾性圧縮によって、開き戸を略直角まで開けて、収納物を容易に出し入れすることができるとともに、バネ体のクッション作用により、開き戸を開けたときに、壁を傷つけることを防ぐ。
【０００９】
上記バー体の長さが調節可能とされる。バーの長さを調節することにより、開き戸の幅に合わせて所望の長さにバーをカットできるため、使い勝手のよい水平把手とすることができる。
【００１０】
【発明の実施の形態】
以下、本発明の好ましい実施の形態について、図面を参照して、さらに詳細に説明する。図１は、実施例１にかかる水平把手Ａの取付け構造を示す分解斜視図である。図１において、２枚の金属板をピンで接合したヒンジ式補強材２１、２２と、軟質弾性体１１、１２からなる一対のバー保持手段Ａ１、Ａ２と、この一対のバー保持手段Ａ１、Ａ２によって保持されるバー体９Ａと、取付けネジＳ１、Ｓ２とが示されている。図２に示すごとく、上記バー保持手段Ａ１、Ａ２は、バー体９Ａを水平に保持して水平把手Ａを構成し、タオル掛けを兼ねて、洗面化粧台の収納部Ｈの開き戸Ｄに取付けネジＳ１、Ｓ２で、開き戸Ｄの裏面から取付けられる。
【００１１】
図２は、上記構成の水平把手Ａが壁Ｗに接触し、さらに、開き戸Ｄを開くことにより水平方向に弾性変形した状態を示す平面図である。図２からよくわかるように、バー保持手段Ａ１、Ａ２は、軟質弾性体１１、１２がヒンジ式補強材２１、２２を内設しているため、水平方向に弾性変形して、開き戸Ｄが略直角まで開き、開き戸Ｄを閉めると弾性復帰して元の状態に戻る。このように、洗面化粧台を部屋のコーナー部に設置した場合でも、開き戸Ｄを大きく開けることができ、収納物の出し入れが容易となる。なお、上記ヒンジ式補強材２１、２２は剛性を有するため、上下に回動することがなく、タオル等を十分に掛けることができる。
【００１２】
図３は、実施例２にかかる水平把手Ｂを示す斜視図であり、図４は、図３におけるＸ−Ｘ線に沿う側断面図である。図３、図４からよくわかるように、水平把手Ｂは、一対のバー保持手段Ｂ１、Ｂ２とバー体９Ｂとからなり、また、バー保持手段Ｂ１（Ｂ２）は、ベース部３１（３２）とバー支承部４１（４２）および両者の内部に設けられるとともに、両者を連結するバネ体５１、（５２）から構成される。さらに、図４によく示されているように、上記ベース部３１（３２）は、スリーブ３１２（３２２）と底部３１１（３２１）とからなり、上記バー支承部４１（４２）は、上部にバー９Ｂを軸支するバー軸支部４１１（４２１）と、下部にバネ収納部４１２（４２２）とを備え、上記ベース部３１（３２）と上記バー支承部４１（４２）とは、バネ体５１（５２）で連結されている。
【００１３】
図５は、水平把手Ｂを壁Ｗに接触させ、さらに、開き戸Ｄを開いた状態を示す平面図である。図４、図５からよくわかるように、バー保持手段Ｂ１、Ｂ２に内設されたバネ体５１、５２は、それぞれ端部をベース部の底部３１１（３２１）に固定し、バー支承部４１（４２）と連結されている。ここで、バー支承部４１（４２）は、ベース部３１（３２）のスリーブ３１２（３２２）に回動自在に支持されているため、水平把手Ｂは水平方向に弾性変形できる。したがって、開き戸Ｄを略直角まで大きく開けることが可能となり、収納物を容易に出し入れできるとともに、開き戸Ｄを開けたときの衝撃で壁を傷つけることを防ぐ。
【００１４】
図６は、実施例３にかかる水平把手Ｃを示す斜視図であり、図７は、図６におけるＹ−Ｙ線に沿う側断面図である。図６、図７からよくわかるように、水平把手Ｃは、一対のバー保持手段Ｃ１、Ｃ２とバー体９Ｃとからなり、また、バー保持手段Ｃ１（Ｃ２）は、バー支持部６１（６２）と有底円筒状のベースブロック７１（７２）およびこのベースブロック７１（７２）に内設され、上記バー支持部６１（６２）と連結されるバネ体８１、（８２）とから構成される。
【００１５】
さらに、図７によく示されているように、バー支持部６１（６２）は、その上部側面にバーの端部を挿入する挿入孔６１１（６２１）と下部に鍔状係止部６１２（６２２）とを備え、有底円筒状のベースブロック７１（７２）の上面には、上記バー支持部６１（６２）を挿通する透孔部７１１（７２１）と、この鍔状係止部６１２（６２２）を係止する透孔部の端縁７１２（７２２）が設けられ、上記鍔状係止部６１２（６２２）の裏面と上記ベースブロック７１（７２）の底部７１３（７２３）とは、バネ体８１（８２）によって連結されている。
【００１６】
図８は、水平把手Ｃを壁Ｗに接触させ、さらに、開き戸Ｄを開いた状態を示す平面図である。図６、図７からよくわかるように、バー保持手段Ｃ２に内設されたバネ体８２は、圧縮方向に弾性変位するため、壁Ｗに当った状態から、開き戸Ｄをさらに開けると、バー支持部６２がバネ体８２を圧縮し、開き戸Ｄを略直角まで開けて、収納物を容易に出し入れすることができる。また、このようにして衝撃を吸収するため、開き戸Ｄを開けたときに、壁を傷つけることを防げる。なお、本発明の水平把手取付け構造は洗面化粧台の収納部Ｈの開き戸Ｄについて記述しているが、洗面化粧台のみならず、キッチンユニット等、その他種々の家庭用ユニットの開き戸に適用することができる。
【００１７】
【発明の効果】
以上述べたように、請求項１に記載の発明は、水平把手Ａ、Ｂ、Ｃを洗面化粧台に取付ける構造であって、該水平把手Ａ、Ｂ、Ｃは、開き戸Ｄに固定される一対のバー保持手段Ａ１、Ａ２；Ｂ１、Ｂ２；Ｃ１、Ｃ２と、このバー保持手段Ａ１、Ａ２；Ｂ１、Ｂ２；Ｃ１、Ｃ２によって保持されるバー体９Ａ、９Ｂ、９Ｃとからなるとともに、該バー保持手段Ａ１、Ａ２；Ｂ１、Ｂ２；Ｃ１、Ｃ２が上記開き戸Ｄに対して遠近自在に弾性変形または弾性変位可能に取付けられることを特徴とする水平把手取付け構造である。このようにすることによって、開き戸Ｄを開いたとき上記バー保持手段Ａ１、Ａ２；Ｂ１、Ｂ２；Ｃ１、Ｃ２が壁に当っても、上記開き戸Ｄに対して遠近自在に弾性変化するため、さらに開度を大きくすることが可能となり、収納物の出し入れを容易に行なうことができるとともに、壁Ｗに対する衝撃をやわらげ、傷つけることを防ぐ。
【００１８】
請求項２に記載の発明は、上記一対のバー保持手段Ａ１、Ａ２が、ヒンジ式補強材２１、２２を内設した軟質弾性体１１、１２から構成されるとともに、水平方向に弾性変形可能とされる。このようにすることによって、請求項１に記載の発明の効果に加えて、ゴム、合成ゴム、軟質弾性プラスチックス等の軟質弾性体１１、１２が、金属からなるヒンジ式補強材２１、２２で補強されているため、壁Ｗに当っても、傷つけることなく水平方向に弾性変形し、弾性復帰できる。また、開き戸Ｄを略直角まで開けることが可能となり、収納物を容易に出し入れすることができる。
【００１９】
請求項３に記載の発明は、上記一対のバー保持手段Ｂ１、Ｂ２が、スリーブ３１２（３２２）と底部３１１（３２１）とからなるベース部３１（３２）と、上記スリーブ３１２（３２２）に回動自在に支持されるとともに、上部にバー９Ｂを軸支するバー軸支部４１１（４２１）と下部にバネ収納部４１２（４２２）とを備えたバー支承部４１（４２）と、上記バネ収納部４１２（４２２）と上記ベース部の底部３１１（３２１）とを連結するバネ体５１、５２とから構成され、水平方向に弾性変形可能とされる。このように、バネ体５１、５２の端部がベース部の底部３１１（３２１）に固定され、上記バー支承部４１（４２）が上記スリーブ３１２（３２２）に回動自在に支持されているため、請求項１に記載の発明の効果に加えて、バー支承部４１（４２）が壁Ｗに当っても、傷つけることなく水平方向に弾性変形し、弾性復帰できる。また、開き戸Ｄを略直角まで開けることが可能となり、収納物を容易に出し入れすることができる。
【００２０】
請求項４に記載の発明は、上記一対のバー保持手段Ｃ１、Ｃ２が、上部側面にバー体９Ｃの端部を挿入する挿入孔６１１（６２１）と下部に鍔状係止部６１２（６２２）を備えたバー支持部６１（６２）と、このバー支持部６１（６２）を挿通する透孔部７１１（７２１）と上記鍔状係止部６１２（６２２）を係止する透孔部の端縁７１２（７２２）とを上面とする有底円筒状のベースブロック７１（７２）と、上記鍔状係止部６１２（６２２）の裏面と上記ベースブロックの底部７１３（７２３）とを連結するバネ体８１、８２とから構成され、弾性変位可能とされる。上記のように構成されているため、請求項１に記載の発明の効果に加え、開き戸Ｄが壁Ｗに当ると、接触した方のバー保持手段のバネ体８１、８２は、圧縮方向に弾性変位するため、壁Ｗに当った状態から、開き戸Ｄをさらに開けることができる。このように、バネ体８１、８２の弾性圧縮によって、開き戸Ｄを略直角まで開けて、収納物を容易に出し入れすることができるとともに、バネ体８１、８２のクッション作用により、開き戸Ｄを開けたときに、壁を傷つけることを防ぐ。
【００２１】
請求項５に記載の発明は、上記バー体９Ａ、９Ｂ、９Ｃの長さが調節可能とされる。バーの長さを調節することにより、請求項１に記載の発明の効果に加えて、開き戸Ｄの幅に合わせて所望の長さにバーをカットできるため、使い勝手のよい水平把手Ｃとすることができる。
【図面の簡単な説明】
【図１】実施例１にかかる水平把手取付け構造を示す分解斜視図である。
【図２】実施例１の水平把手取付け構造が水平方向に弾性変形した状態を示す平面図である。
【図３】実施例２にかかる水平把手取付け構造を示す斜視図である。
【図４】図３におけるＸ−Ｘ線に沿う側断面図である。
【図５】実施例２の水平把手取付け構造が水平方向に弾性変形した状態を示す平面図である。
【図６】実施例３にかかる水平把手取付け構造を示す斜視図である。
【図７】図６におけるＹ−Ｙ線に沿う側断面図である。
【図８】実施例３の水平把手取付け構造が圧縮方向に弾性変位した状態を示す平面図である。
【図９】公知の水平把手を取付けた洗面化粧台の斜視図である。
【符号の説明】
Ａ              実施例１にかかる水平把手
Ａ１、Ａ２      上記を構成する一対のバー保持手段
１１、１２      軟質弾性体
２１、２２      ヒンジ式補強材
９Ａ            バー体
Ｂ              実施例２にかかる水平把手
Ｂ１、Ｂ２      上記を構成する一対のバー保持手段
３１、３２      ベース部
３１１、３２１  ベース部底部
３１２、３２２  ベース部スリーブ
４１、４２      バー支承部
４１１、４２１  バー軸支部
４１２、４２２  バネ収納部
５１、５２      バネ体
９Ｂ            バー体
Ｃ              実施例３にかかる水平把手
Ｃ１、Ｃ２      上記を構成する一対のバー保持手段
６１、６２      バー支持部
６１１、６２１  挿入孔
６１２、６２２  鍔状係止部
７１、７２      ベースブロック
７１１、７２１  透孔部
７１２、７２２  端縁
７１３、７２３  ベースブロック底部
８１、８２      バネ体
９Ｃ            バー体
１００          公知の水平把手
Ｓ１、Ｓ２      バー保持手段固定用ネジ
Ｄ              開き戸
Ｈ              洗面化粧台収納部
Ｗ              壁
【図１】
2004201729.tif 000003
【図２】
2004201729.tif 000004
【図３】
2004201729.tif 000005
【図４】
2004201729.tif 000006
【図５】
2004201729.tif 000007
【図６】
2004201729.tif 000008
【図７】
2004201729.tif 000009
【図８】
2004201729.tif 000010
【図９】
2004201729.tif 000011